(57)【要約】【課題】分岐工事の作業にかかる手間を抑制する分岐装置を提供すること。【解決手段】流体管の流路を流れる流体を不断流状態で分岐させる分岐装置は、流路を流れる流体を分岐させる分岐開口部３と、流体管の非分岐状態において分岐開口部３を外方から着脱可能に閉塞している蓋体５と、流体管の非分岐状態において分岐開口部３を内方から閉塞しない待機位置に保持されている栓体９と、栓体９を、待機位置、及び栓体９が分岐開口部３を内方から閉塞する閉塞位置の間で往復移動可能な移動操作部８と、を備えることで、従来のように、別段の制水弁を流体管に取付ける作業や制水弁の開閉作業を行うことなく、不断流状態で流体を分岐させることができる。【選択図】図５
2011007225.tif 000002
【特許請求の範囲】
【請求項１】
流体管の流路を流れる流体を不断流状態で分岐させる分岐装置であって、
前記流路を流れる流体を分岐させる分岐開口部と、
前記流体管の非分岐状態において前記分岐開口部を外方から着脱可能に閉塞している蓋体と、
前記非分岐状態において前記分岐開口部を内方から閉塞しない待機位置に保持されている栓体と、
前記栓体を、前記待機位置、及び該栓体が前記分岐開口部を内方から閉塞する閉塞位置の間で往復移動可能な移動操作部と、を備えることを特徴とする分岐装置。
【請求項２】
前記栓体は、前記移動操作部の略直線運動により、前記分岐開口部を内方から閉塞することを特徴とする請求項１に記載の分岐装置。
【請求項３】
前記待機位置に位置した栓体には、該栓体を待機位置に保持する保持部材が前記流路の外部から着脱可能に取付けられることを特徴とする請求項１または２に記載の分岐装置。
【請求項４】
前記移動操作部は、前記流路の外部と通じる操作開口部を介して前記流路の外部から操作され、前記栓体と着脱可能に取付けられることを特徴とする請求項１ないし３のいずれかに記載の分岐装置。
【請求項５】
前記流体管には、前記分岐開口部、前記操作開口部、及び前記栓体が設けられる分岐ユニットが備えられることを特徴とする請求項４に記載の分岐装置。
【請求項６】
前記分岐開口部の内周面と前記栓体とには、テーパ面が夫々形成されており、
前記分岐開口部は、両方の前記テーパ面の当接により内方から閉塞されることを特徴とする請求項１ないし５のいずれかに記載の分岐装置。
【請求項７】
流体管の流路を流れる流体を不断流状態で分岐させる分岐方法であって、
前記流路を流れる流体を分岐させる分岐開口部を外方から蓋体により閉塞されているとともに、前記分岐開口部を内方から閉塞可能な栓体が前記分岐開口部を内方から閉塞しない待機位置に位置している栓体待機段階と、
前記栓体待機段階の後に、前記栓体を、移動操作部により移動させ、前記栓体が前記分岐開口部を内方から閉塞する閉塞位置に位置させる栓体閉塞段階と、
前記栓体閉塞段階の後に、前記分岐開口部から前記蓋体を取外して前記分岐開口部に前記流路を流れる流体を分岐させるための分岐路部材を取付け、その後、前記栓体を、前記移動操作部により移動させ、前記待機位置に再度位置させる栓体再待機段階と、から成ることを特徴とする分岐方法。
【発明の詳細な説明】
【技術分野】
【０００１】
本発明は、流体管の流路を流れる流体を不断流状態で分岐させる分岐装置及び分岐方法に関する。
【背景技術】
【０００２】
従来の分岐装置は、主に、栓体により閉鎖される流体管の分岐開口部に着脱自在であって端部に蓋体を有する制水弁と、蓋体に挿通された移動操作部と、から構成されている（例えば、特許文献１参照）。
【０００３】
分岐工事の際、先ず、分岐開口部に制水弁を取付け、制水弁を開状態で移動操作部を栓体と係合させる。そして、移動操作部と係合している栓体を蓋体側に移動した後に、制水弁を閉状態にする。次いで、制水弁から蓋体を取外して制水弁に分岐路部材を連結し、制水弁を開状態にすることで、流体管の流路を流れる流体が不断流状態で分岐される。
【先行技術文献】
【特許文献】
【０００４】
【特許文献１】特開平５−３３２４８９号公報（第４頁、第３図）
【発明の概要】
【発明が解決しようとする課題】
【０００５】
このように、特許文献１に記載の分岐装置にあっては、分岐工事の際に、制水弁を流体管に取付ける作業や制水弁の開閉作業を行う必要があるため、分岐工事の作業に手間がかかってしまう虞がある。
【０００６】
本発明は、このような問題点に着目してなされたもので、分岐工事の作業にかかる手間を抑制する分岐装置及び分岐方法を提供することを目的とする。
【課題を解決するための手段】
【０００７】
前記課題を解決するために、本発明の分岐装置は、
流体管の流路を流れる流体を不断流状態で分岐させる分岐装置であって、
前記流路を流れる流体を分岐させる分岐開口部と、
前記流体管の非分岐状態において前記分岐開口部を外方から着脱可能に閉塞している蓋体と、
前記非分岐状態において前記分岐開口部を内方から閉塞しない待機位置に保持されている栓体と、
前記栓体を、前記待機位置、及び該栓体が前記分岐開口部を内方から閉塞する閉塞位置の間で往復移動可能な移動操作部と、を備えることを特徴としている。
この特徴によれば、栓体は、移動操作部により、流体管の非分岐状態において栓体が分岐開口部を内方から閉塞しない待機位置、及び栓体が分岐開口部を内方から閉塞する閉塞位置の間で往復移動可能になっていることで、栓体を待機位置から閉塞位置に移動して分岐開口部を内方から閉塞した後に、外方から閉塞する蓋体を取外しても、栓体により分岐開口部からの流体の流れが閉止されるので、分岐開口部に流路から流体を分岐させるための部材を取付けることができる。その後、閉塞位置に位置している栓体を待機位置に再び移動することで、従来のように、別段の制水弁を流体管に取付ける作業や制水弁の開閉作業を行うことなく、不断流状態で流体を分岐させることができ、更に、分岐開口部から流路から流体を分岐させるための部材を取外して分岐開口部に再び蓋体を取付け、流体を流体管の流路のみに流す状態に戻すこともできる。
【０００８】
本発明の分岐装置は、
前記栓体は、前記移動操作部の略直線運動により、前記分岐開口部を内方から閉塞することを特徴としている。
この特徴によれば、移動操作部を略直線運動させるだけで、栓体を分岐開口部に内方から容易に閉塞することができる。
【０００９】
本発明の分岐装置は、
前記待機位置に位置した栓体には、該栓体を待機位置に保持する保持部材が前記流路の外部から着脱可能に取付けられることを特徴としている。
この特徴によれば、待機位置に位置した栓体に、栓体を待機位置に保持する保持部材が流路の外部から着脱可能に取付けられることで、保持部材を流路の外部から操作するだけで、流体を流体管の流路のみに流す状態にした後に栓体を待機位置に容易に保持することができるとともに、栓体を待機位置と閉塞位置との間で移動する際に栓体が待機位置に保持された状態を容易に解除することができる。
【００１０】
本発明の分岐装置は、
前記移動操作部は、前記流路の外部と通じる操作開口部を介して前記流路の外部から操作され、前記栓体と着脱可能に取付けられることを特徴としている。
この特徴によれば、移動操作部が栓体と着脱可能に取付けられることで、流体を不断流状態で分岐させるときのみに移動操作部を栓体に取付けて操作開口部を介して流路の外部から操作することができる。
【００１１】
本発明の分岐装置は、
前記流体管には、前記分岐開口部、前記操作開口部、及び前記栓体が設けられる分岐ユニットが備えられることを特徴としている。
この特徴によれば、流体管に、分岐開口部、操作開口部、及び栓体が設けられる分岐ユニットを装備することで、流体管の流路を流れる流体を不断流状態で分岐させる際に、分岐開口部、操作開口部、及び栓体を個別に加工して施工する必要がない。
【００１２】
本発明の分岐装置は、
前記分岐開口部の内周面と前記栓体とには、テーパ面が夫々形成されており、
前記分岐開口部は、両方の前記テーパ面の当接により内方から閉塞されることを特徴としている。
この特徴によれば、分岐開口部が、分岐開口部の内周面と栓体とに夫々形成されたテーパ面の当接により内方から閉塞されることで、栓体が、待機位置から閉塞位置へ移動する方向からずれて移動しても、分岐開口部のテーパ面が栓体のテーパ面を案内するため、分岐開口部を内方から確実に閉塞することができる。
【００１３】
前記課題を解決するために、本発明の分岐方法は、
流体管の流路を流れる流体を不断流状態で分岐させる分岐方法であって、
前記流路を流れる流体を分岐させる分岐開口部を外方から蓋体により閉塞されているとともに、前記分岐開口部を内方から閉塞可能な栓体が前記分岐開口部を内方から閉塞しない待機位置に位置している栓体待機段階と、
前記栓体待機段階の後に、前記栓体を、移動操作部により移動させ、前記栓体が前記分岐開口部を内方から閉塞する閉塞位置に位置させる栓体閉塞段階と、
前記栓体閉塞段階の後に、前記分岐開口部から前記蓋体を取外して前記分岐開口部に前記流路を流れる流体を分岐させるための分岐路部材を取付け、その後、前記栓体を、前記移動操作部により移動させ、前記待機位置に再度位置させる栓体再待機段階と、から成ることを特徴としている。
この特徴によれば、流路を流れる流体を分岐させる分岐開口部を外方から蓋体により閉塞されているとともに、分岐開口部を内方から閉塞可能な栓体が分岐開口部を内方から閉塞しない待機位置に位置している栓体待機段階と、栓体待機段階の後に、栓体を、移動操作部により移動させ、栓体が分岐開口部を内方から閉塞する閉塞位置に位置させる栓体閉塞段階と、栓体閉塞段階の後に、分岐開口部から蓋体を取外して分岐開口部に流路を流れる流体を分岐させるための分岐路部材を取付け、その後、栓体を、移動操作部により移動させ、待機位置に再度位置させる栓体再待機段階と、から成る分岐方法により、従来のように、別段の制水弁を流体管に取付ける作業や制水弁の開閉作業を行うことなく、不断流状態で流体を分岐させることができる。
【図面の簡単な説明】
【００１４】
【図１】実施例における分岐ユニットが流体管に配設されている状態を示す正面図である。
【図２】図１のＡ−Ａ断面図である。
【図３】操作開口部に移動操作部が取付けられた状態を示す断面図である。
【図４】移動操作部により栓体が待機位置から閉塞位置に移動した状態を示す断面図である。
【図５】分岐路部材が分岐開口部に取付けられた状態を示す断面図である。
【図６】移動操作部により閉塞位置に位置している栓体が待機位置に移動した状態を示す断面図である。
【発明を実施するための形態】
【００１５】
本発明に係る分岐装置を実施するための形態を実施例に基づいて以下に説明する。
【実施例】
【００１６】
実施例に係る分岐装置につき、図１から図６を参照して説明する。以下、図１の紙面手前側を分岐ユニットの正面側（前方側）として説明する。
【００１７】
本実施例は、流体管の流路を流れる流体を不断流状態で分岐させる分岐方法及びこの分岐方法を実施する分岐装置について説明する。
【００１８】
図１の符号１，１は、流路を構成する上水道用の流体管であって、流体管１，１の間には、流路を流れる流体を不断流状態で分岐させる分岐ユニット２が、流体管１，１に対して水密になるように配設されている。
【００１９】
図２に示されるように、この分岐ユニット２には、主に、流路を流れる流体を分岐させる分岐開口部３と、分岐開口部３とにより管軸Ｐを挟む箇所に形成され、流路の外部と通じる操作開口部４と、分岐開口部３を分岐開口部３の内方から閉塞可能な栓体９と、が設けられている。また、操作開口部４の近傍には、栓体９を固定する保持部材を構成する固定ボルト６が着脱自在に取付けられるボルト孔７が形成されている。
【００２０】
分岐開口部３の外方側の端部には、フランジ３ａが形成されており、このフランジ３ａに分岐開口部３を分岐開口部３の外方から着脱可能に閉塞する蓋体５がボルト・ナット２０（図１参照）にて取付けられている。また、分岐開口部３の内周面３ｃの管軸Ｐ側には、分岐開口部３から管軸Ｐへ向かう方向に漸次拡径するテーパ面３ｂが形成されている。
【００２１】
栓体９は、分岐開口部３を分岐開口部３の内方から閉塞する閉塞部９ａと、閉塞部９ａから延びる延設部９ｂと、を有している。閉塞部９ａは、ゴム等の弾性部材から成る被覆部９ｅにより被覆されており、閉塞部９ａの先端部は、栓体９から管軸Ｐへ向かう方向に漸次縮径するテーパ面９ｃに形成されている。
【００２２】
このテーパ面９ｃが分岐開口部３のテーパ面３ｂと当接することで、分岐開口部３が分岐開口部３の内方から閉塞されるようになっている。また、閉塞部９ａが被覆部９ｅにより被覆されることで、テーパ面９ｃが分岐開口部３のテーパ面３ｂと密着して当接可能になっているとともに、閉塞部９ａの腐食を防止するようになっている。更に、延設部９ｂには、栓体９を固定するボルト１０、または後述の移動操作部８（図３参照）が着脱自在に取付けられるためのボルト穴９ｄが形成されている。
【００２３】
操作開口部４における開口側には、栓体９の延設部９ｂを水密に挿通可能な挿通孔４ａが形成されており、この挿通孔４ａとボルト孔７とが連通している。この挿通孔４ａは、分岐開口部３の内周面３ｃと同軸に形成されている。尚、ボルト孔７は、流路の外部と連通して形成された嵌合ネジ孔２１と連通しており、この嵌合ネジ孔２１は、キャップ２２により水密に嵌合されている。
【００２４】
蓋体５には、分岐開口部３と連通する連通孔５ａが形成されており、この連通孔５ａには、連通孔５ａを連通孔５ａの外方から閉塞可能な取付部材５ｂが螺合されている。
【００２５】
次に移動操作部８について説明すると、図３に示されるように、移動操作部８は、分岐ユニット２と蓋体５と共に本発明の分岐装置を構成している。この移動操作部８は、主に、移動操作部８を分岐ユニット２に取付けるための支持部材１３と、支持部材１３に螺合された支柱１４，１４と、栓体９のボルト穴９ｄに着脱可能に取付けるために先端に雄ネジ部１１ａを有する筒部材１１と、筒部材１１の内部に設けられた雌ネジ部１１ｂに螺合して筒部材１１に螺挿可能なネジ部材１２と、筒部材１１に固定に取付けられる分割構造の固定部材１５と、から成る。
【００２６】
固定部材１５には、支柱１４，１４が挿通される挿通孔１５ａ，１５ａが形成されており、支柱１４，１４が挿通孔１５ａ，１５ａを挿通することで、固定部材１５は、そのネジ部材１２の軸回りの回動が規制された状態で、ネジ部材１２に対してその軸方向に移動可能になっている。このため、図３及び図４に示されるように、ネジ部材１２を回動することで、固定部材１５に取付けられた筒部材１１が、ネジ部材１２と共回りすることなくネジ部材１２の軸方向に略直線移動可能になっている。尚、本実施例では、移動操作部は、ネジ部材１２を回動することで略直線移動可能な筒部材１１を有しているが、これに限らず、例えば、軸方向に押圧されることで略直線移動可能な筒部材を有する移動操作部であってもよい。
【００２７】
次に、流体管の流路を流れる流体を不断流状態で分岐させる工程について説明する。
【００２８】
先ず、図１に示されるように、流体管１，１の間には、分岐ユニット２が配設されている。前述のように、この分岐ユニット２には、分岐開口部３、操作開口部４、及び栓体９が設けられていることで、流体管の流路を流れる流体を不断流状態で分岐させる際に、分岐開口部、操作開口部、及び栓体を個別に加工して施工する必要がない。
【００２９】
栓体待機段階について説明すると、図２に示されるように、流体管１，１の非分岐状態において、分岐開口部３のフランジ３ａに蓋体５が取付けられており、栓体９の延設部９ｂが挿通孔４ａに密封状に挿通された状態で栓体９が保持されている。つまり、分岐開口部３を分岐開口部３の外方から蓋体５により閉塞されているとともに、栓体９が分岐開口部３を分岐開口部３の内方から閉塞しない待機位置に位置している。すなわち、栓体９が待機位置に位置している状態が本発明の栓体待機段階を構成している。
【００３０】
また、栓体待機段階では、固定ボルト６が栓体９の延設部９ｂと当接するように流路の外部からボルト孔７に螺入されている。同様に、閉塞部９ａの延設部９ｂ側の端面が、操作開口部４の内方側に形成された端面４ｂと当接するように、ボルト１０の首下部が、ボルト１０の頭部が操作開口部４の開口端面との間に配置された水密ワッシャ２３を挿通して流路の外部から栓体９のボルト穴９ｄに螺入されている。これら固定ボルト６及びボルト１０の螺入により、栓体９が待機位置に確実に保持されている。
【００３１】
そして、栓体待機段階の後に、ボルト１０を流路の外部から操作することでボルト穴９ｄから螺出してボルト１０及び水密ワッシャ２３を取外し、図３に示されるように、筒部材１１の雄ネジ部１１ａをボルト穴９ｄに螺入するとともに、支持部材１３を分岐ユニット２に取付けて、移動操作部８を栓体９に取付ける。
【００３２】
この移動操作部８を栓体９に取付ける際には、固定ボルト６がボルト孔７に螺入されている状態であるため、栓体９が筒部材１１と共回りすることなく移動操作部８を栓体９に取付けることができる。
【００３３】
次いで、流路の外部から操作して固定ボルト６を緩めて固定ボルト６と延設部９ｂとの当接を解除し、図５に示されるように、ネジ部材１２を回動する。この回動により、ネジ部材１２の軸方向に略直線移動可能な筒部材１１は、挿通孔４ａを挿通するとともに、ボルト穴９ｄが筒部材１１の雄ネジ部１１ａに螺合している栓体９は、待機位置から分岐開口部３へ向かって略直線方向に移動する。
【００３４】
そして、更に、栓体９が移動することで、栓体９のテーパ面９ｃが分岐開口部３のテーパ面３ｂと当接して、分岐開口部３が栓体９により分岐開口部３の内方から閉塞される。つまり、栓体９は、移動操作部８により移動し、分岐開口部３を分岐開口部３の内方から閉塞する閉塞位置に位置している。すなわち、栓体９が閉塞位置に位置している状態が、本発明の栓体閉塞段階を構成している。
【００３５】
このように、ネジ部材１２の回動により筒部材１１を略直線運動させるだけで、栓体９を分岐開口部３に分岐開口部３の内方から容易に閉塞することができる。
【００３６】
更に、前述のように、分岐開口部３の内周面と栓体９とには、テーパ面３ｂ，９ｃが夫々形成されていることで、栓体９が、待機位置から閉塞位置へ移動する方向からずれて移動しても、分岐開口部３のテーパ面３ｂが栓体９のテーパ面９ｃを案内するため、分岐開口部３を分岐開口部３の内方から確実に閉塞することができる。
【００３７】
尚、分岐開口部３が栓体９により分岐開口部３の内方から所定に閉塞されている状態を確認するために、取付部材５ｂを蓋体５から取外して連通孔５ａを連通孔５ａの外方と連通する。この連通により、連通孔５ａからの流体の漏出が無いことで、分岐開口部３が栓体９により分岐開口部３の内方から閉塞されている状態を確認できる。
【００３８】
そして、栓体閉塞段階の後に、蓋体５を分岐開口部３のフランジ３ａから取外し、図５に示されるように、フランジ３ａに流路を流れる流体を分岐させるための分岐路部材１９を取付ける。その後、ネジ部材１２を逆回動することで、栓体９を、図６に示されるように、閉塞位置から再び待機位置に移動させることで、流路を流れる流体が分岐開口部３を介して分岐路部材１９の内部を流れ、不断流状態で流体を分岐させることができる。
【００３９】
つまり、図６の状態は、栓体閉塞段階の後に、分岐開口部３から蓋体５を取外して分岐開口部３に分岐路部材１９を取付け、その後、栓体９が、移動操作部８により移動し、待機位置に再度位置している状態であって、この栓体９が待機位置に再度位置している状態が本発明の栓体再待機段階を構成している。
【００４０】
そして、流体を流体管の流路のみに流す状態に戻す場合には、前述の工程で行った作業とは逆に作業を行う。すなわち、栓体再待機段階から、図５に示されるように、移動操作部８により、栓体９を待機位置から閉塞位置に位置させることで、分岐開口部３を分岐開口部３の内方から閉塞する。そして、分岐開口部３から分岐路部材１９を取外し、図４に示されるように、分岐開口部３に蓋体５を取付ける。
【００４１】
次いで、図３に示されるように、移動操作部８により、栓体９を閉塞位置から待機位置に位置させた後に、固定ボルト６により栓体９を待機位置に固定し、移動操作部８を栓体９から取外す。そして、図２に示されるように、ボルト１０を水密ワッシャ２３に挿通してボルト穴９ｄに取付ける。図６の状態からこれら一連の作業を行うことで、流体を流体管の流路のみに流す状態に戻る。
【００４２】
前述のように、移動操作部８は、流路の外部と通じる操作開口部４を介して流路の外部から操作され、栓体９と着脱可能に取付けられている。このため、流体を不断流状態で分岐させるときのみに移動操作部８を栓体９に取付けて操作開口部４を介して流路の外部から操作することができる。
【００４３】
また、前述のように、待機位置に位置した栓体９には、栓体９を待機位置に保持する固定ボルト６が流路の外部から着脱可能に取付けられることで、固定ボルト６を流路の外部から操作するだけで、流体を流体管１，１の流路のみに流す状態にした後に栓体９を待機位置に容易に保持することができるとともに、栓体９を待機位置と閉塞位置との間で移動する際に栓体９が待機位置に保持された状態を容易に解除することができる。
【００４４】
以上に説明したように、実施例の分岐装置において、栓体９は、移動操作部８により、流体管の非分岐状態において栓体９が分岐開口部３を分岐開口部３の内方から閉塞しない待機位置、及び栓体９が分岐開口部３を分岐開口部３の内方から閉塞する閉塞位置の間で往復移動可能になっていることで、栓体９を待機位置から閉塞位置に移動して分岐開口部３を分岐開口部３の内方から閉塞した後に、分岐開口部３の外方から閉塞する蓋体５を取外しても、栓体９により分岐開口部３からの流体の流れが閉止されるので、分岐開口部３に流路から流体を分岐させるための分岐路部材１９を取付けることができる。その後、閉塞位置に位置している栓体９を待機位置に再び移動することで、従来のように、別段の制水弁を流体管に取付ける作業や制水弁の開閉作業を行うことなく、不断流状態で流体を分岐させることができ、更に、分岐開口部３から分岐路部材１９を取外して分岐開口部３に再び蓋体５を取付け、流体を流体管１，１の流路のみに流す状態に戻すこともできる。
【００４５】
また、実施例の分岐方法は、分岐開口部３を分岐開口部３の外方から蓋体５により閉塞されているとともに、栓体９が待機位置に位置している栓体待機段階と、栓体待機段階の後に、栓体９を、移動操作部８により移動させ、栓体９が閉塞位置に位置させる栓体閉塞段階と、栓体閉塞段階の後に、分岐開口部３から蓋体５を取外して分岐開口部３に分岐路部材１９を取付け、その後、栓体９を、移動操作部８により移動させ、待機位置に再度位置させる栓体再待機段階と、から成ることで上記と同様の効果が得られる。
【００４６】
以上、本発明の実施例を図面により説明してきたが、具体的な構成はこれら実施例に限られるものではなく、本発明の要旨を逸脱しない範囲における変更や追加があっても本発明に含まれる。
【００４７】
例えば、前記実施例では、流体管１，１は上水道用であるが、流体管１，１の内部流れる流体は必ずしも上水に限らず、例えば工業用水であってもよいし、また気体や気液混合状態の流体が流れる流体管にも適用可能である。
【００４８】
また、前記実施例では、流体管１，１の間には、分岐開口部３、操作開口部４、及び栓体９が設けられる分岐ユニット２が配置されているが、これに限らず、流体管に分岐開口部及び操作開口部が形成されるとともに、栓体が流体管の内部に設けられてもよい。
【００４９】
また、前記実施例では、移動操作部８が栓体９に取付けられ、筒部材１１を略直線移動することにより、栓体９が待機位置と閉塞位置の間で往復移動するようになっているが、これに限らず、例えば、電源駆動する駆動部からなる移動操作部が栓体と接続されており、該移動操作部を操作することで、電源駆動により生じた押圧力を栓体に与え、待機位置と閉塞位置の間を往復移動するようにしてもよい。
【符号の説明】
【００５０】
１                流体管
２                分岐ユニット
３                分岐開口部
３ｂ              テーパ面
４                操作開口部
５                蓋体
６                固定ボルト（保持部材）
８                移動操作部
９                栓体
９ｃ              テーパ面
１９              分岐路部材
【図１】
2011007225.tif 000003
【図２】
2011007225.tif 000004
【図３】
2011007225.tif 000005
【図４】
2011007225.tif 000006
【図５】
2011007225.tif 000007
【図６】
2011007225.tif 000008